(57)【特許請求の範囲】
【請求項１】
紫外線又は短波長可視光を発する発光素子と、
前記紫外線又は短波長可視光により励起され、可視光を発光する青色蛍光体と、を備え、
前記青色蛍光体は、一般式が（Ｃａ１−ｘ−ｙ，Ｓｒｘ，Ｅｕｙ）５（ＰＯ４）３Ｃｌ（ここで、ｘ、ｙは、０．１０＜ｘ＜０．６０、０．００２＜ｙ＜０．０６０、０．０３８≦ｙ／（ｘ＋ｙ）＜０．１７を満たす範囲である）で表されていることを特徴とする発光モジュール。
【請求項２】
前記発光素子は、４００ｍＷ以上の光出力が可能に構成されていることを特徴とする請求項１に記載の発光モジュール。
【請求項３】
前記発光素子は、３５０〜４２０ｎｍの波長域にピーク波長を有する紫外線又は短波長可視光を発することを特徴とする請求項１または２に記載の発光モジュール。
【請求項４】
前記紫外線又は短波長可視光により励起され、前記青色蛍光体が発する可視光と混色することで白色を実現する可視光を発する黄色蛍光体を更に備えることを特徴とする請求項１乃至３のいずれか１項に記載の発光モジュール。
【請求項５】
一般式が（Ｃａ１−ｘ−ｙ，Ｓｒｘ，Ｅｕｙ）５（ＰＯ４）３Ｃｌ（ここで、ｘ、ｙは、０．１０＜ｘ＜０．６０、０．００２＜ｙ＜０．０６０、０．０３８≦ｙ／（ｘ＋ｙ）＜０．１７を満たす範囲である）で表されている蛍光体。
【発明の詳細な説明】
【技術分野】
【０００１】
本発明は、青色発光する蛍光体およびそれを用いた発光モジュールに関する。
【背景技術】
【０００２】
従来、照明用の灯具としては蛍光灯や電球が多く用いられてきた。近年、このような灯具の代替として、消費電力や寿命の観点から発光ダイオード（以下、適宜「ＬＥＤ」と称する。）を用いた発光装置が種々開発されている。
【０００３】
このような発光装置として、近紫外線を発する半導体発光素子と、青色蛍光体および黄色蛍光体とを組み合わせて白色光を実現する技術が考案されている。例えば、３５０〜４１５ｎｍの光を発生する第１の発光体と、第１の発光体からの光の照射によって可視光を発生する第２の発光体とを有する発光装置において、第２の発光体が、一般式ＥｕａＣａｂＭ５−ａ−ｂ（ＰＯ４）ｃＸｄ（ＭはＥｕ及びＣａ以外の金属元素を表し、ＸはＰＯ４以外の一価のアニオン基を表す。）の化学組成を有する発光装置が知られている（特許文献１参照）。
【先行技術文献】
【特許文献】
【０００４】
【特許文献１】特開２００５−６０４６８号公報
【発明の概要】
【発明が解決しようとする課題】
【０００５】
ところで、近年、照明用の灯具として自動車のヘッドランプにＬＥＤを採用する技術が開発されている。また、ヘッドランプでは、コストの低減からＬＥＤの数を減らすことが求められており、ＬＥＤ１個あたりの出力が増大する傾向にある。そのため、このような高出力のＬＥＤと組み合わせる蛍光体の開発が重要となる。
【０００６】
しかしながら、このような高出力のＬＥＤと蛍光体とを組み合わせた発光装置は、蛍光体を劣化させ、発光強度の低下を招く可能性があり、蛍光体の更なる改善が求められている。
【０００７】
本発明はこうした状況に鑑みてなされたものであり、その目的とするところは、発光モジュールの発光強度の低下を抑制する技術を提供することにある。
【課題を解決するための手段】
【０００８】
上記課題を解決するために、本発明のある態様の発光モジュールは、紫外線又は短波長可視光を発する発光素子と、紫外線又は短波長可視光により励起され、可視光を発光する青色蛍光体と、を備える。青色蛍光体は、一般式が（Ｍ１１−ｘ−ｙ，Ｍ２ｘ，Ｍ３ｙ）５（Ｍ４Ｏ４）３Ｘ（ここで、Ｍ１，Ｍ２，Ｍ３は２価のアルカリ土類金属として、Ｍｇ，Ｃａ，Ｓｒ，Ｂａ及びＥｕからなる群より選ばれる少なくとも１種の元素、Ｍ４はＰ，Ｓｉ，Ｖからなる群より選ばれる少なくとも１種の元素、Ｘは少なくとも１種のハロゲン元素を示す。）で表され、好ましくは、一般式が（Ｃａ１−ｘ−ｙ，Ｓｒｘ，Ｅｕｙ）５（ＰＯ４）３Ｃｌ（ここで、ｘ、ｙは、０．１０＜ｘ＜０．６０、０．００２＜ｙ＜０．０６０、０．０２＜ｙ／（ｘ＋ｙ）＜０．１７を満たす範囲である）で表されているとよい。
【０００９】
この態様によると、紫外線又は短波長可視光に対する青色蛍光体の耐光性が向上し、発光モジュールの発光強度の低下が抑制される。
【００１０】
発光素子は、４００ｍＷ以上の光出力が可能に構成されていてもよい。これにより、光出力の高い発光素子を用いた発光モジュールであっても長寿命を実現できる。
【００１１】
発光素子は、３５０〜４２０ｎｍの波長域にピーク波長を有する紫外線又は短波長可視光を発してもよい。これにより、発光スペクトルの異なる複数種の蛍光体を用いて白色光を実現できる。
【００１２】
紫外線又は短波長可視光により励起され、青色蛍光体が発する可視光と混色することで白色を実現する可視光を発する黄色蛍光体を更に備えてもよい。これにより、発光素子の光を直接用いずに青色光と黄色光との混色で白色光を実現できる。また、長期にわたる使用における青色光の出力の低下が抑制されるため、黄色光と混色して実現される白色光の経年による色ズレが小さくなる。
【００１３】
本発明の別の態様は、蛍光体である。この蛍光体は、一般式が（Ｃａ１−ｘ−ｙ，Ｓｒｘ，Ｅｕｙ）５（ＰＯ４）３Ｃｌ（ここで、ｘ、ｙは、０．１０＜ｘ＜０．６０、０．００２＜ｙ＜０．０６０、０．０２＜ｙ／（ｘ＋ｙ）＜０．１７を満たす範囲である）で表されている。
【００１４】
この態様によると、耐光性の向上した青色蛍光体が実現できる。
【００１５】
なお、以上の構成要素の任意の組合せ、本発明の表現を方法、装置、システム、などの間で変換したものもまた、本発明の態様として有効である。
【発明の効果】
【００１６】
本発明によれば、発光モジュールの発光強度の低下を抑制できる。
【図面の簡単な説明】
【００１７】
【図１】実施の形態に係る発光モジュールの概略断面図である。
【図２】実施例１に係る発光モジュールの初期の発光スペクトルと１０００ｈ発光後の発光スペクトルを比較した図である。
【図３】比較例１に係る発光モジュールの初期の発光スペクトルと１０００ｈ発光後の発光スペクトルを比較した図である。
【発明を実施するための形態】
【００１８】
以下、図面を参照しながら、本発明を実施するための形態について詳細に説明する。なお、図面の説明において同一の要素には同一の符号を付し、重複する説明を適宜省略する。
【００１９】
＜青色発光蛍光体＞
はじめに、耐光性を向上させた青色発光蛍光体（以下、「青色発光体」と称する。）の組成について詳述する。本実施の形態に係る青色蛍光体は、一般式が（Ｃａ１−ｘ−ｙ，Ｓｒｘ，Ｅｕｙ）５（ＰＯ４）３Ｃｌ（ここで、ｘ、ｙは、０．１０＜ｘ＜０．６０、０．００２＜ｙ＜０．０６０、０．０２＜ｙ／（ｘ＋ｙ）＜０．１７を満たす範囲である）で表されている。
【００２０】
青色蛍光体は、一般式が（Ｍ１１−ｘ−ｙ，Ｍ２ｘ，Ｍ３ｙ）５（Ｍ４Ｏ４）３Ｘで表され、Ｍ１，Ｍ２，Ｍ３は、２価のアルカリ土類金属としてＭｇ，Ｃａ，Ｓｒ，Ｂａ及びＥｕを含んでおり、１５％以下ならＭｇ，Ｂａを、３％以下なら１価のアルカリ金属であるＮａ，Ｋ，Ｒｂ，Ｃｓと３価の金属であるＳｃ，Ｙ，Ｌａを含んでいても良い。また、Ｍ４は５％以下ならＳｉ，Ｖを含んでいてもよい。
【００２１】
また、青色蛍光体は、好ましくは、一般式が（Ｃａ１−ｘ−ｙ，Ｓｒｘ，Ｅｕｙ）５（ＰＯ４）３Ｃｌで表され、ＳｒとＥｕの含有量ｘ＋ｙに対するＥｕの含有量ｙの比率が所定の範囲の値となっている。また、上記一般式で表される青色蛍光体は、励起スペクトルのピーク波長が３５０〜４２０ｎｍの範囲にあるとよく、その中でも、励起スペクトルのピーク波長が３９０〜４１０ｎｍの範囲にあることが好ましい。
【００２２】
また、青色蛍光体は、その発光色が４３０〜４８０ｎｍにピーク波長を有するように組成が定められているとよい。このような青色蛍光体は、近紫外又は短波長可視光を効率的に吸収し、ドミナント波長が４４０〜４７０ｎｍの光を放射する。
【００２３】
また、青色蛍光体は、紫外線や短波長可視光を発する半導体発光素子と組み合わせて発光モジュールとすることができる。例えば、紫外線発光素子と、青色および黄色蛍光体とを組み合わせて白色発光モジュールとすることができる。また、紫外線発光素子と、青色、赤色および緑色蛍光体とを組み合わせて白色発光モジュールとすることもできる。更には、所望の色度や演色性を実現するために、他の蛍光体を用いることも可能である。本実施の形態に係る青色蛍光体以外の蛍光体としては、特に限定されないが、公知公用の蛍光体も適宜使用できる。
【００２４】
＜黄色発光蛍光体＞
本実施の形態に係る黄色発光蛍光体（以下、「黄色発光体」と称する。）として好適な一例として、一般式がＭ１Ｏ２・ａＭ２Ｏ・ｂＭ３Ｘ２：Ｍ４ｃ（但し、Ｍ１はＳｉ、Ｇｅ、Ｔｉ、Ｚｒ及びＳｎからなる群より選ばれる少なくとも１種の元素、Ｍ２はＭｇ、Ｃａ、Ｓｒ、Ｂａ及びＺｎからなる群より選ばれる少なくとも１種の元素、Ｍ３はＭｇ、Ｃａ、Ｓｒ、Ｂａ及びＺｎからなる群より選ばれる少なくとも１種の元素、Ｘは少なくとも１種のハロゲン元素、Ｍ４は希土類元素及びＭｎからなる群より選ばれるＥｕ２＋を必須とする少なくとも１種の元素を示す。ａは０．１≦ａ≦１．３、ｂは０．１≦ｂ≦０．２５の範囲である。）で表される黄色蛍光体が挙げられる。また、この黄色蛍光体は、紫外線又は短波長可視光により励起され、青色蛍光体が発する可視光と混色することで白色を実現する可視光を発する。より具体的には、黄色蛍光体は、５６０〜６００ｎｍの波長域にピーク波長を有する可視光を発する。
【００２５】
＜発光素子＞
本実施の形態に係る青色蛍光体を備える発光モジュールに用いられる半導体発光素子としては、３５０〜４２０ｎｍの波長域にピーク波長を有する紫外線又は短波長可視光を発するものがよい。例えば、紫外線を発光する半導体発光素子として一般的なＩｎＧａＮ／ＧａＮ系のものが好ましい。ＩｎＧａＮ／ＧａＮ系の半導体発光素子は、Ｉｎ量が多くなるほど発光ピーク波長が長くなり、Ｉｎ量が減るほど発光ピーク波長が短くなる。よって、ＩｎＧａＮ／ＧａＮ系の半導体発光素子を発光モジュールに適用するためには、その発光ピーク波長が３５０〜４２０ｎｍになるように、Ｉｎの量を適宜調整すればよい。
【００２６】
本実施の形態に係る発光モジュールは、上述の半導体発光素子と、本実施の形態に係る青色蛍光を含む蛍光体とから構成されるものである。より具体的には、半導体発光素子上に蛍光体の層を設ける構成が挙げられる。その場合、半導体発光素子上に設ける蛍光体層は、少なくとも１種以上の蛍光体を単層又は複数層に積層配置してもよいし、複数の蛍光体を単一の層内に混合して配置してもよい。半導体発光素子上に蛍光体層を設ける形態としては、半導体発光素子の表面を被覆するコーティング部材に蛍光体を混合する形態、モールド部材に蛍光体を混合する形態、あるいはモールド部材に被せる被覆体に蛍光体を混合する形態、更には半導体発光素子ランプの投光側前方に蛍光体を混合した透光可能なプレートを配置する形態等が挙げられる。
【００２７】
また、半導体発光素子上のモールド部材に、前述の蛍光体の少なくとも１種以上が添加されていてもよい。更に、前述の蛍光体の少なくとも１種以上からなる蛍光体層を、発光モジュールの外側に設けてもよい。発光モジュールの外側に設ける形態としては、発光モジュールのモールド部材の外側表面に蛍光体を層状に塗布する形態、あるいは蛍光体をゴム、樹脂、エラストマー等に分散させた成形体（例えば、キャップ状）を作製し、これを半導体発光素子に被覆する形態、又は前記成形体を平板状に加工し、これを半導体発光素子の前方に配置する形態等が挙げられる。
【実施例】
【００２８】
以下に本実施の形態を実施例によって更に具体的に説明する。以下の各実施例および各比較例に係る蛍光体は、一般式（Ｃａ１−ｘ−ｙ，Ｓｒｘ，Ｅｕｙ）５（ＰＯ４）３Ｃｌで表される。
【００２９】
（実施例１）
実施例１に係る青色蛍光体は、一般式（Ｃａ１−ｘ−ｙ，Ｓｒｘ，Ｅｕｙ）５（ＰＯ４）３Ｃｌにおいて、ｘ＝０．３５、ｙ＝０．０４０である。はじめに、原料としてＣａ２Ｐ２Ｏ７、ＣａＣＯ３、ＳｒＣＯ３、Ｅｕ２Ｏ３、およびＮＨ４Ｃｌを用い、これらの原料をモル比がＣａ２Ｐ２Ｏ７：ＣａＣＯ３：ＳｒＣＯ３：Ｅｕ２Ｏ３：ＮＨ４Ｃｌ＝１．５０：０．０５：１．７５：０．１０：１．００となるよう秤量し、秤量した各原料をアルミナ乳鉢に入れ粉砕混合し、原料混合物を得る。この原料混合物をアルミナ坩堝に入れ、２〜５％のＨ２を含むＮ２雰囲気中で、温度１０００℃で５時間焼成し、焼成物を得る。この焼成物を温純水で丹念に洗浄し、余剰の塩化物を洗い流すことにより青色蛍光体を得ることができる。
【００３０】
（実施例２）
実施例２に係る青色蛍光体は、一般式（Ｃａ１−ｘ−ｙ，Ｓｒｘ，Ｅｕｙ）５（ＰＯ４）３Ｃｌにおいて、ｘ＝０．２０、ｙ＝０．０１６である。はじめに、原料としてＣａＣＯ３、ＳｒＣＯ３、ＮＨ４Ｈ２ＰＯ４、Ｅｕ２Ｏ３、およびＣａＣｌ２を用い、これらの原料をモル比がＣａＣＯ３：ＳｒＣＯ３：ＮＨ４Ｈ２ＰＯ４：Ｅｕ２Ｏ３：ＣａＣｌ２＝３．４２：１．００：３．００：０．０４：０．５０となるよう秤量した。その後は、実施例１と同じ方法で青色蛍光体を合成した。
【００３１】
（実施例３）
実施例３に係る青色蛍光体は、一般式（Ｃａ１−ｘ−ｙ，Ｓｒｘ，Ｅｕｙ）５（ＰＯ４）３Ｃｌにおいて、ｘ＝０．２０、ｙ＝０．０４０である。はじめに、原料としてＣａＣＯ３、ＳｒＣＯ３、ＮＨ４Ｈ２ＰＯ４、Ｅｕ２Ｏ３、およびＮＨ４Ｃｌを用い、これらの原料をモル比がＣａＣＯ３：ＳｒＣＯ３：ＮＨ４Ｈ２ＰＯ４：Ｅｕ２Ｏ３：ＮＨ４Ｃｌ＝３．８０：１．００：３．００：０．１０：１．００となるよう秤量した。その後は、実施例１と同じ方法で青色蛍光体を合成した。
【００３２】
（実施例４）
実施例４に係る青色蛍光体は、一般式（Ｃａ１−ｘ−ｙ，Ｓｒｘ，Ｅｕｙ）５（ＰＯ４）３Ｃｌにおいて、ｘ＝０．２５、ｙ＝０．０４０である。はじめに、原料としてＣａＨＰＯ４、ＣａＣＯ３、ＳｒＣＯ３、Ｅｕ２Ｏ３、およびＣａＣｌ２を用い、これらの原料をモル比がＣａＨＰＯ４：ＣａＣＯ３：ＳｒＣＯ３：Ｅｕ２Ｏ３：ＣａＣｌ２＝３．００：０．０５：１．７５：０．１０：０．５０となるよう秤量した。その後は、実施例１と同じ方法で青色蛍光体を合成した。
【００３３】
（実施例５）
実施例５に係る青色蛍光体は、一般式（Ｃａ１−ｘ−ｙ，Ｓｒｘ，Ｅｕｙ）５（ＰＯ４）３Ｃｌにおいて、ｘ＝０．２０、ｙ＝０．００８である。はじめに、原料としてＣａＨＰＯ４、ＣａＣＯ３、ＳｒＣＯ３、Ｅｕ２Ｏ３、ＮＨ４Ｈ２ＰＯ４、およびＮＨ４Ｃｌを用い、これらの原料をモル比がＣａＨＰＯ４：ＣａＣＯ３：ＳｒＣＯ３：Ｅｕ２Ｏ３：ＮＨ４Ｈ２ＰＯ４：ＮＨ４Ｃｌ＝３．００：０．９６：１．００：０．０２：０．０１：１．００となるよう秤量した。その後は、実施例１と同じ方法で青色蛍光体を合成した。
【００３４】
（実施例６）
実施例６に係る青色蛍光体は、一般式（Ｃａ１−ｘ−ｙ，Ｓｒｘ，Ｅｕｙ）５（ＰＯ４）３Ｃｌにおいて、ｘ＝０．２０、ｙ＝０．０２０である。はじめに、原料としてＣａ２Ｐ２Ｏ７、ＣａＣＯ３、ＳｒＣＯ３、Ｅｕ２Ｏ３、およびＮＨ４Ｃｌを用い、これらの原料をモル比がＣａ２Ｐ２Ｏ７：ＣａＣＯ３：ＳｒＣＯ３：Ｅｕ２Ｏ３：ＮＨ４Ｃｌ＝１．５０：０．８６：１．００：０．０７：１．００となるよう秤量した。その後は、実施例１と同じ方法で青色蛍光体を合成した。
【００３５】
（比較例１）
比較例１に係る青色蛍光体は、一般式（Ｃａ１−ｘ−ｙ，Ｍｇｘ，Ｅｕｙ）５（ＰＯ４）３Ｃｌで表され、Ｓｒは添加されていない。はじめに、原料としてＣａＨＰＯ４、ＣａＣＯ３、ＭｇＣＯ３、Ｅｕ２Ｏ３、およびＣａＣｌ２を用い、これらの原料をモル比がＣａＨＰＯ４：ＣａＣＯ３：ＭｇＣＯ３：Ｅｕ２Ｏ３：ＣａＣｌ２＝３．００：１．１７：０．５０：０．０４：０．５０となるよう秤量した。その後は、実施例１と同じ方法で青色蛍光体を合成した。
【００３６】
（比較例２）
比較例２に係る青色蛍光体は、一般式（Ｃａ１−ｘ−ｙ，Ｓｒｘ，Ｅｕｙ）５（ＰＯ４）３Ｃｌにおいて、ｘ＝０．０４、ｙ＝０．００２である。はじめに、原料としてＣａＨＰＯ４、ＣａＣＯ３、ＳｒＣＯ３、Ｅｕ２Ｏ３、およびＮＨ４Ｃｌを用い、これらの原料をモル比がＣａＨＰＯ４：ＣａＣＯ３：ＳｒＣＯ３：Ｅｕ２Ｏ３：ＮＨ４Ｃｌ＝３．００：１．７９：０．２０：０．００５：１．００となるよう秤量した。その後は、実施例１と同じ方法で青色蛍光体を合成した。
【００３７】
（比較例３）
比較例３に係る青色蛍光体は、一般式（Ｃａ１−ｘ−ｙ，Ｓｒｘ，Ｅｕｙ）５（ＰＯ４）３Ｃｌにおいて、ｘ＝０．６０、ｙ＝０．０４０である。はじめに、原料としてＣａＨＰＯ４、ＳｒＣＯ３、Ｅｕ２Ｏ３、ＮＨ４Ｈ２ＰＯ４、およびＮＨ４Ｃｌを用い、これらの原料をモル比がＣａＨＰＯ４：ＳｒＣＯ３：Ｅｕ２Ｏ３：ＮＨ４Ｈ２ＰＯ４：ＮＨ４Ｃｌ＝１．８０：３．００：０．１０：１．２０：１．００となるよう秤量した。その後は、実施例１と同じ方法で青色蛍光体を合成した。
【００３８】
（参考例）
参考例に係る青色蛍光体は、一般式（Ｃａ１−ｘ−ｙ，Ｓｒｘ，Ｅｕｙ）５（ＰＯ４）３Ｃｌにおいて、ｘ＝０．３５、ｙ＝０．０６０である。はじめに、原料としてＣａＨＰＯ４、ＳｒＣＯ３、Ｅｕ２Ｏ３、ＮＨ４Ｈ２ＰＯ４、およびＮＨ４Ｃｌを用い、これらの原料をモル比がＣａＨＰＯ４：ＳｒＣＯ３：Ｅｕ２Ｏ３：ＮＨ４Ｈ２ＰＯ４：ＮＨ４Ｃｌ＝２．９５：１．７５：０．１５：０．０５：１．００となるよう秤量した。その後は、実施例１と同じ方法で青色蛍光体を合成した。
【００３９】
（比較例４）
比較例４に係る青色蛍光体は、一般式（Ｃａ１−ｘ−ｙ，Ｓｒｘ，Ｅｕｙ）５（ＰＯ４）３Ｃｌにおいて、ｘ＝０．１０、ｙ＝０．０１６である。はじめに、原料としてＣａ２Ｐ２Ｏ７、ＣａＣＯ３、ＳｒＣＯ３、Ｅｕ２Ｏ３、およびＮＨ４Ｃｌを用い、これらの原料をモル比がＣａ２Ｐ２Ｏ７：ＣａＣＯ３：ＳｒＣＯ３：Ｅｕ２Ｏ３：ＮＨ４Ｃｌ＝１．５０：１．８７：０．５０：０．０４：１．００となるよう秤量した。その後は、実施例１と同じ方法で青色蛍光体を合成した。
【００４０】
＜組成決定方法＞
各蛍光体の組成は以下の手順により決定した。
（１）ＸＲＤ（粉末Ｘ線回折）により単相であることを確認した後に、ＩＣＰ（Inductively Coupled Plasma）発光分光分析法にてサンプルの組成を分析した。
（２）同一サンプルをＥＰＭＡ（電子線マイクロアナライザ）を用い、粒子１粒の半定量により組成分析した結果がＩＣＰ発光分光分析法で得られた値と一致したため、全てのサンプルについてＥＰＭＡを用い、粒子一粒で組成分析を行った。
【００４１】
＜耐光性評価方法＞
上述の蛍光体と半導体発光素子とを備えた発光モジュールを蛍光体毎に作製し、耐光性評価を行った。図１は、実施の形態に係る発光モジュールの概略断面図である。図１に示す発光モジュール１０は、マウント部材１２と、半導体発光素子１４と、枠部材１６と、蛍光部材１８と、を備える。半導体発光素子１４は、マウント部材１２により固定されている。半導体発光素子１４の上方には、半導体発光素子１４を覆う蛍光部材１８が設けられている。また、枠部材１６は、マウント部材１２上に固定され、半導体発光素子１４の側方の周囲を囲んでいる。
【００４２】
発光素子には、紫外線又は短波長可視光を発光するＬＥＤやＬＤ等を用いることができる。本実施例に係る半導体発光素子１４としては、近紫外線又は短波長可視光を発するＬＥＤ（ｎＵＶ−ＬＥＤ：ピーク波長４０５ｎｍ）を用いている。マウント部材１２は、例えば銀ペースト等の導電性接着剤又は金錫共晶はんだ等である。
【００４３】
蛍光部材１８は、前述の各蛍光体が分散されたバインダー部材によってシート状に形成されている。バインダー部材としては、例えば、シリコーン樹脂やフッ素樹脂等を用いることができる。特に、本実施例に係る発光モジュールは、励起光源として紫外線又は短波長可視光を用いることから、耐紫外線性能に優れたシリコーン樹脂等のバインダー部材が好ましい。
【００４４】
本実施例に係る蛍光部材１８は、シート厚みが１２０μｍであり、分散されている蛍光体の濃度は３０ｖｏｌ％である。
【００４５】
次に、前述のように構成された発光モジュール１０を約１Ｗ／ｍｍ２で発光するように１Ａ程度の投入電流で駆動する。この状態で、各蛍光体を含む発光モジュールにおける初期の発光強度と１０００ｈ点灯後の発光強度を測定した。
【００４６】
ここで、１０００ｈ後の発光強度＝初期発光強度×（１０００ｈ後の耐光維持率）とした。また、今回の評価では、発光モジュールの１０００ｈ後の発光強度が０．７０以上のものを合格レベルとしている。なお、合格レベルの根拠は、日本工業標準調査会標準部発行“照明用白色ＬＥＤ装置性能要求事項”“ＴＳＣ８１５３”に基づいている。
【００４７】
各実施例および各比較例に係る蛍光体をそれぞれ備えた発光モジュールでの耐光性評価結果を表１に示す。また、図２は、実施例１に係る発光モジュールの初期の発光スペクトルと１０００ｈ発光後の発光スペクトルを比較した図である。図３は、比較例１に係る発光モジュールの初期の発光スペクトルと１０００ｈ発光後の発光スペクトルを比較した図である。
【００４８】
【表１】
0005872828.tif 000002
【００４９】
表１に示すように、実施例１に係る発光モジュールにおいて、耐光維持率（１０００ｈ点灯時）９５％を達成している。また、その他の各実施例に係る発光モジュールにおいても、耐光維持率７０％以上を達成している。このように、高出力の近紫外ＬＥＤを備えた発光モジュールにおいて経時での発光強度の低下が少ない青色蛍光体が実現できた。
【００５０】
一方、比較例３においては、ｘの値が０．６０とＳｒの含有量が多く、初期の発光強度が低い。また、比較例１、比較例４においては、いずれもｘの値が０．１０以下とＳｒの含有量が少なく、１０００ｈ後の発光強度の低下が大きく、ＵＶ耐光性が低い。そのため、一般式が（Ｃａ１−ｘ−ｙ，Ｓｒｘ，Ｅｕｙ）５（ＰＯ４）３Ｃｌで表されている各実施例に係る蛍光体は、Ｓｒの含有量と相関のあるｘの値が０．１０＜ｘ＜０．６０の範囲である。
【００５１】
また、比較例２においては、ｙの値が０．００２とＥｕの含有量が少なく、初期の発光強度が低い。また、参考例においては、ｙの値が０．０６０とＥｕの含有量が多く、初期の発光強度は高いものの、耐光維持率が７０％未満である。そのため、一般式が（Ｃａ１−ｘ−ｙ，Ｓｒｘ，Ｅｕｙ）５（ＰＯ４）３Ｃｌで表されている各実施例に係る蛍光体は、Ｅｕの含有量と相関のあるｙの値が０．００２＜ｙ＜０．０６０の範囲である。
【００５２】
また、各実施例に係る発光モジュールは、初期発光強度も高く、耐光維持率を７０％以上である。各実施例の蛍光体において、ＳｒとＥｕの合計含有量に対するＥｕの含有量の割合と相関のあるｙ／（ｘ＋ｙ）の値は、０．０２０＜ｙ／（ｘ＋ｙ）＜０．１７の範囲であり、より好ましくは、０．０２９≦ｙ／（ｘ＋ｙ）≦０．１６７の範囲である。
【００５３】
このように、一般式が（Ｃａ１−ｘ−ｙ，Ｓｒｘ，Ｅｕｙ）５（ＰＯ４）３Ｃｌ（ここで、ｘ、ｙは、０．１０＜ｘ＜０．６０、０．００２＜ｙ＜０．０６０、０．０２＜ｙ／（ｘ＋ｙ）＜０．１７を満たす範囲である）で表されている青色蛍光体は、耐光性が向上している。また、このような青色蛍光体を含む、実施例に係る発光モジュールは、紫外線又は短波長可視光に対する青色蛍光体の耐光性が向上しているため、長期使用における発光強度の低下が抑制される。
【００５４】
特に、４００ｍＷ以上の光出力が可能な発光素子を備える発光モジュールの蛍光体として好適である。より好ましくは、６００ｍＷ以上の光出力が可能な発光素子、更により好ましくは、８００ｍＷ以上の光出力が可能な発光素子と組み合わせることで、耐光性のより顕著な効果が現れる。このように、光出力の高い発光素子を用いた発光モジュールであっても長寿命を実現できる。
【００５５】
発光素子は、３５０〜４２０ｎｍの波長域にピーク波長を有する紫外線又は短波長可視光を発しているものが好ましい。これにより、発光スペクトルの異なる複数種の蛍光体、例えば、各実施例に係る青色蛍光体と前述の黄色蛍光体を用いて白色光を実現できる。また、発光素子の光を直接用いずに青色光と黄色光との混色で白色光を実現できる。また、長期にわたる使用における青色光の出力の低下が抑制されるため、黄色光と混色して実現される白色光の経年による色ズレが小さくなる。
【００５６】
以上、本発明を実施の形態や実施例をもとに説明した。この実施の形態は例示であり、それらの各構成要素や各処理プロセスの組合せにいろいろな変形例が可能なこと、またそうした変形例も本発明の範囲にあることは当業者に理解されるところである。
【産業上の利用可能性】
【００５７】
本発明の発光モジュールは種々の灯具、例えば照明用灯具、ディスプレイ用バックライト、車両用灯具等に利用することができる。
【符号の説明】
【００５８】
１０  発光モジュール、  １２  マウント部材、  １４  半導体発光素子、  １６  枠部材、  １８  蛍光部材。
【図１】
0005872828.tif 000003
【図２】
0005872828.tif 000004
【図３】
0005872828.tif 000005